(57)【特許請求の範囲】
【請求項１】
壁等に固定する取付杆と樋支持具本体とを上下に貫通する貫通軸でスライド自在に連結し、上記貫通軸の上下端に形成された回転ロックレバーを回転操作して、上記樋支持具本体を上記取付杆に圧接させて固定すると共に、上記樋支持具本体のスライドを規制する雨樋支持具において、
上記貫通軸は板状に形成され、該貫通軸を介して、上記上下の回転ロックレバーが相互に連動する構造とされ、
上記回転ロックレバーの一方は、上記貫通軸の一端側に該一端を折曲形成した、上記貫通軸が移動することを規制する止部を介して、上記貫通軸と一体的に形成されていることを特徴とする雨樋支持具。
【請求項２】
請求項１において、
上記上下の回転ロックレバーは、同形状に形成されていることを特徴とする雨樋支持具。
【請求項３】
請求項１又は２において、
上記樋支持具本体には、少なくとも上面又は下面を断面鋸刃状にした凹凸部を形成すると共に、この凹凸部に係止する係止片部を適所に設けたことを特徴とする雨樋支持具。
【請求項４】
請求項１〜３のいずれかにおいて、
上記樋支持具本体の長手方向に長孔を形成し、この長孔の側壁に連続する凹凸部を形成すると共に、この凹凸部に係止する係止片部を適所に設けたことを特徴とする雨樋支持具。
【発明の詳細な説明】
【０００１】
【発明の属する技術分野】
本発明は、壁等に固定する取付杆と樋支持具本体とを上下に貫通する貫通軸でスライド自在に連結し、上記貫通軸の一端に設けた回転ロックレバーを回転操作して、上記樋支持具本体を上記取付杆に圧接させて固定すると共に、上記樋支持具本体のスライドを規制する雨樋支持具に関する。
【０００２】
【従来の技術】
図５は、従来の雨樋支持具を示す分解斜視図である。
【０００３】
この雨樋支持具１００は、壁等に固定する取付片１０１ａを有する取付杆１０１と、長手方向に長孔１０２ａを有し且つ下面に複数の凹凸部１０２ｂを形成した樋支持具本体１０２と、この樋支持具本体１０２の凹部に係脱可能な係止片部１０３ａ、１０３ａを立設すると共に、幅方向に長い膨出部１０３ｂ、１０３ｂを下面の前後側に形成した受座１０３と、この受座１０３を介して樋支持具本体１０２を持ち上げ、これを取付杆１０１に圧接固定するための下方に開放したコ状の回転ロックレバー１０４とを備えている。
【０００４】
更に、これらの部材は、図示のようにカシメピン１０５とスプリングワッシャ１０６とワッシャ１０７によって連結している。
【０００５】
そして、横方向に向いた脱状態から回転ロックレバー１０４を長手方向に向けて回転させると、この回転ロックレバー１０４の上面で受座１０３の下面の膨出部１０３ｂ、１０３ｂを押し上げ、この受座１０３が上方に持ち上げられて、その係止片部１０３ａ、１０３ａが樋支持具本体１０２の凹凸部１０２ｂの凹部に入り込んで係止されると共に、樋支持具本体１０２がそのスライドを阻止することで、取付杆１０１に圧接して固定できる。
【０００６】
なお、ここでは、水平方向に回転して樋支持具本体１０２を取付杆１０１に圧接固定する回転ロックレバー１０４を例示したが、この回転ロックレバー１０４を縱方向に回転操作して樋支持具本体１０２を取付杆１０１に圧接固定する場合もあり得る。
【０００７】
【発明が解決しようとする課題】
ところが、従来の回転ロックレバー１０４は、その操作部１０４ａを回転させて樋支持具本体１０２の下方からしか操作することができない。
【０００８】
そのため、施工時などに回転ロックレバー１０４を、施工現場の状況に応じて上下方向の何れからでも自在に回転操作可能な雨樋支持具が要望されていた。
【０００９】
本発明は、上記従来の問題に鑑みてなされたものであって、回転ロックレバーを、上下方向の何れからでも自在に回転操作可能な雨樋支持具を提供することを目的としている。
【００１０】
【課題を解決するための手段】
上記課題を解決するため、
請求項１に係る雨樋支持具は、壁等に固定する取付杆と樋支持具本体とを上下に貫通する貫通軸でスライド自在に連結し、上記貫通軸の上下端に形成された回転ロックレバーを回転操作して、上記樋支持具本体を上記取付杆に圧接させて固定すると共に、上記樋支持具本体のスライドを規制する雨樋支持具において、上記貫通軸は板状に形成され、該貫通軸を介して、上記上下の回転ロックレバーが相互に連動する構造とされ、上記回転ロックレバーの一方は、上記貫通軸の一端側に該一端を折曲形成した、上記貫通軸が移動することを規制する止部を介して、上記貫通軸と一体的に形成されていることを特徴とする。
【００１１】
請求項１では、貫通軸の両端に、各々回転ロックレバーを形成しているので、雨樋支持具の上方又は下方の何れからでも回転ロックレバーを容易に回転操作することができる。
【００１２】
すなわち、何れか一方の回転ロックレバーを回転操作すると、これに連動して他の回転ロックレバーも同方向に回転する。
【００１３】
そのため、従来同様の機構によって、下側に位置する回転ロックレバーが樋支持具本体を持ち上げて、これを取付杆に圧接して固定すると共に、上記樋支持具本体のスライドを規制できる。
【００１４】
（削除）
【００１５】
また、一体的に形成するとは、貫通軸と一方の回転ロックレバーとを同時に成形することを意味する。
【００１６】
さらに、回転ロックレバーの何れか一方は、上記貫通軸と一体的に形成しているため、一方の回転ロックレバーの部品点数を減少できる。
【００１７】
請求項２に係る雨樋支持具は、請求項１又は２の何れかにおいて、上記上下の回転ロックレバーは、同形状に形成している。
【００１８】
請求項２では、回転ロックレバーを全て同形状とし、同一部材を利用でき、コストダウンを図ることができる。
【００１９】
請求項３に係る雨樋支持具は、請求項１又は２において、上記樋支持具本体には、少なくとも上面又は下面を断面鋸刃状にした凹凸部を形成すると共に、この凹凸部に係止する係止片部を適所に設けている。
【００２０】
請求項３では、樋支持具本体の上面又は下面に断面鋸刃状にした凹凸部を形成し、この凹凸部に係止する係止片部を適所に設けて、樋支持具本体のスライドを確実に規制できる。
【００２１】
請求項４に係る雨樋支持具は、請求項１〜３の何れかにおいて、上記樋支持具本体の長手方向に長孔を形成し、この長孔の側壁に連続する凹凸部を形成すると共に、この凹凸部に係止する係止片部を適所に設けたことを特徴とする。
【００２２】
請求項４では、樋支持具本体の長孔の側壁に凹凸部を形成し、この凹凸部に係止する係止片部を適所に設けて、樋支持具本体のスライドを確実に規制できる。
【００２３】
【発明の実施の形態】
以下、本発明に係る雨樋支持具Ａについて、図を参照しつつ説明する。
【００２４】
図１は、本発明に係る雨樋支持具を示す分解斜視図である。
【００２５】
図中１は取付杆、２は樋支持具本体、３は受座、４は貫通軸、５は回転上ロックレバー、６は回転下ロックレバーを各々示しており、以下、各部材について詳説する。
【００２６】
取付杆１は、建造物の軒先等に固定される取付足板１１の上端中央から前方に向けて足杆１２を延設し、この足杆１２の前方は、段落ち形成した連結片部１３を形成している。
【００２７】
この連結片部１３には、略中央に貫通軸４を回転可能に貫通する孔部１３ａを開設している。
【００２８】
樋支持具本体２は、上記取付杆１とスライド可能に形成したスライド板本体２１の前、後端に、図示のような雨樋Ｔを吊下げ支持するための樋・前耳支持部２２及び樋・後耳支持部２３を各々形成している。
【００２９】
この樋・前耳支持部２２及び樋・後耳支持部２３は、図例のものに限定されず、従来から使用される種々のタイプのものが採用できる。
【００３０】
また、上記スライド板本体２１の長手方向であって、上記孔部１３ａと重合する位置には長手方向へ長孔２４を形成し、この長孔２４でも貫通軸４を回転可能にしている。
【００３１】
樋支持具本体２は、樹脂で一体成形したり、ステンレスなどの金属板を折り曲げ成形して製造できる。
【００３２】
また、樋支持具本体２の上面２１ａには、後述するストッパー板２８の係止片部２８ａ、２８ａと係合する凹凸部２１ｂを形成している。
【００３３】
本実施例では、上記凹凸部２１ｂは、樋支持具本体２の上面の長手方向に連続する鋸刃状の凹凸部２１ｂを形成しているが、この凹凸部２１ｂは、後述するストッパー板２８の係止片部２８ａ、２８ａと係合できればよく、例えば線状の溝を形成しても構わない。
【００３４】
このストッパー板２８は、金属製の薄板を矩形状に形成し、中央には取付杆１の孔部１３ａに重合する同様の軸孔２８ｂを開設すると共に、その前、後端を下方に折り曲げて係止片部２８ａ、２８ａを形成している。
【００３５】
この係止片部２８ａ、２８ａは、樋支持具本体２の凹凸部２１ｂに係止可能であれば、本実施例で示すようなストッパー板２８の全幅を折り曲げて形成するものに限定されず、例えば、ストッパー板２８の一部を切り欠いて下方に折り曲げて形成しても良く、その形状には限定されない。
【００３６】
このような係止片部２８ａ、２８ａを形成したストッパー板２８を取付杆１とは別途形成し、これを取付杆１と樋支持具本体２とに介在して設けることによって、樋支持具本体２のスライドを規制すると共に、これを取付杆１に圧接して固定できるうえ、係止片部２８ａ、２８ａをも容易に製造できる。
【００３７】
受座３は、薄板で形成され、中央には貫通軸４を回転可能な軸孔３２を開設している。
【００３８】
また、受座３は、その幅を樋支持具本体２の幅よりも短く形成し、その長さを樋支持具本体２の幅よりも長く形成している。
【００３９】
この受座３の下面には、幅方向に長い膨出部３３、３３を両端側に形成している。
【００４０】
このように形成した取付杆１の孔部１３ａ、ストッパー板２８の軸孔２８ｂ、樋支持具本体２の長孔２４、受座３の軸孔３２に、貫通軸４を貫通する。
【００４１】
この貫通軸４は、リベットのような円柱状に限定されず、孔部１３ａ、軸孔２８ｂ、長孔２４、軸孔３２に回転可能であれば、図１で示すような板状、その他多角柱状であっても採用できる。
【００４２】
また、貫通軸４の上端には、この貫通軸４が下方に移動することを規制する止部４１を形成しており、本実施例では、板状の貫通軸４の上端を折曲形成して止部４１を形成しているが、このような折り曲げ形成した止部４１以外であっても、例えば円柱状の貫通軸４の上端に円状の鍔を形成することも考えられる。
【００４３】
このように形成した貫通軸４の上下端には、回転ロックレバー５６を設ける。
【００４４】
具体的には、図１で示すように、貫通軸４の上端には回転上ロックレバー５を連結すると共に、貫通軸４の下端には回転下ロックレバー６を連結して、これら回転上ロックレバー５及び回転下ロックレバー６を連動可能に設けて回転ロックレバー５６を構成している。
【００４５】
本実施例で示した回転上ロックレバー５は、貫通軸４の止部４１を更に上方に折り曲げ形成して上操作部５１を設けた板状の回転上ロックレバー５を一体的に形成している。
【００４６】
このように回転上ロックレバー５を上記貫通軸４と一体的に形成すれば、この回転上ロックレバー５の部品点数を減少できる。
【００４７】
また、回転下ロックレバー６は、金属板を略半折し、その対向片に貫通穴６２、６２を重合して開設し、この貫通穴６２、６２の間に貫通軸４の下端に開設した結合穴４２を重合し、これらにリベット７を貫通してカシメ止め、貫通軸４の下端に回転下ロックレバー６を固着している。
【００４８】
ここで、固着手段としては、カシメ止め以外にもスポット溶接、栓溶接、点付け溶接などの溶接手段のほか、圧入による固定、ネジによる固定等、既存の固定手段を使用できる。
【００４９】
なお、本実施例で示した回転上ロックレバー５及び回転下ロックレバー６は例示にすぎず、その形状には限定されない。
【００５０】
このように構成した本発明に係る雨樋支持具Ａは、以下の要領で作用する。
【００５１】
まず、脱状態から回転上ロックレバー５又は回転下ロックレバー６の何れかの操作部５１、６１を持ってこれを長手方向に向けて回転する。
【００５２】
すると、回転下ロックレバー６の上端（又は上面）が受座３の下面の膨出部３３、３３に乗り上げてこれを押し上げ、その上位の樋支持具本体２も押し上げられ、樋支持具本体２の凹凸部２１ｂの凹部とストッパー板２８の係止片部２８ａ、２８ａが係止する。
【００５３】
これと共に、樋支持具本体２は取付杆１に対して圧接して固定されると共に、ストッパー板２８によって樋支持具本体２のスライドを規制できる。
【００５４】
このような雨樋支持具Ａによれば、回転上ロックレバー５及び回転下ロックレバー６が連動するように貫通軸４に設けているので、一方の回転ロックレバー５（６）を回転操作すると、他方の回転ロックレバー６（５）も連動して同方向に回転できる。
【００５５】
この回転操作によって、樋支持具本体２が上方に持ち上げられ、これを取付杆１に圧接して固定すると共に樋支持具本体２のスライドが規制される。
【００５６】
従って、雨樋支持具Ａの上方又は下方の何れからでも回転ロックレバー５６を容易に回転操作することができる。
【００５７】
図２は、本発明に係る雨樋支持具の他の実施例を示す分解斜視図である。
【００５８】
ここで、図１と共通する部位には、共通の符号を付し、その説明を省略している。
【００５９】
この雨樋支持具Ａは、図１で示した回転ロックレバー５６を同形状に形成している。
【００６０】
すなわち、図１では、回転ロックレバー５６として、回転上ロックレバー５と回転下ロックレバー６とを異なる形状に形成したが、本実施例では、これらを同形状に形成している。
【００６１】
なお、回転ロックレバー５６の形状には限定されない。
【００６２】
このような回転ロックレバー５６によれば、回転上ロックレバー５と回転下ロックレバー６とを同一部材で利用でき、コストダウンを図ることが出来る。
【００６３】
図３は、本発明に係る雨樋支持具の更に他の実施例を示す分解斜視図である。
【００６４】
ここで、図１と共通する部位には、共通の符号を付し、その説明を省略している。
【００６５】
この雨樋支持具Ａは、図１で示した樋支持具本体２の長孔２４の側壁に連続する凹凸部２１ｂを形成すると共に、この長孔２４の凹凸部２１ｂに係止する係止片部２８ａをストッパー板２８に形成している。
【００６６】
このような雨樋支持具Ａによれば、一方の回転ロックレバー５（６）を回転操作すると、他方の回転ロックレバー６（５）も連動して上下何れからでも同方向に回転できると共に、その回転操作によって、ストッパー板２８の係止片部２８ａが樋支持具本体２の凹凸部２１ｂに係合するので、樋支持具本体２のスライドを確実に規制できる。
【００６７】
図４は、本発明に係る回転ロックレバーの他の実施例を示す斜視図である。
【００６８】
本発明に係る回転ロックレバー５６は、図１〜３で示した以外にも種々のものが考えられる。
【００６９】
図４は、回転ロックレバー５６の一例を示した斜視図であるが、これに限定するものではない。
【００７０】
図４（ａ）は、回転上ロックレバー５を例示したもので、図４（ａ）の上図は、貫通軸４と一体的に形成して略Ｔ状に形成した板状の回転上ロックレバー５であり、図４（ａ）の下図は、略Ｌ状に形成した板状の回転上ロックレバー５を各々示している。
【００７１】
図４（ｂ）は、回転下ロックレバー６を例示したもので、図４（ｂ）の上図は、下方にコ状に開放した回転下ロックレバー６であり、この上面６６に上記膨出部３３（不図示）を設けることで受座３を不要にできる。
【００７２】
また、この回転下ロックレバー６の上面６６の両側には、そのロック時に係止される突部６７を設けることも可能であり、この場合には、回転下ロックレバー６をロックした時には突部６７が樋支持具本体２との回転を規制するため、回転下ロックレバー６の回転による外れを確実に防止でき、しかもそのロック状態を外被された突部６７によって確認できる。
【００７３】
図４（ｂ）の下図は、上図の上面６６だけで形成した板体に長手方向に操作部６１を延設した回転下ロックレバー６を示したもの、或いは、上図の上面６６だけで形成した板体に、幅方向に操作部６１を延設した回転下ロックレバー６を各々示している。
【００７４】
【発明の効果】
本発明によれば、次のような効果がある。
【００７５】
請求項１に係る雨樋支持具によれば、貫通軸の両端に、各々回転ロックレバーを形成しているので、雨樋支持具の上方又は下方の何れからでも回転ロックレバーを容易に回転操作することができる。
【００７６】
すなわち、何れか一方の回転ロックレバーを回転操作すると、これに連動して他の回転ロックレバーも同方向に回転する。
【００７７】
そのため、従来同様の機構によって、下側に位置する回転ロックレバーが樋支持具本体を持ち上げて、これを取付杆に圧接して固定すると共に、上記樋支持具本体のスライドを規制できる。
【００７８】
請求項２に係る雨樋支持具によれば、回転ロックレバーの何れか一方は、上記貫通軸と一体的に形成しているため、一方の回転ロックレバーの部品点数を減少できる。
【００７９】
請求項３に係る雨樋支持具によれば、回転ロックレバーを全て同形状とし、同一部材を利用でき、コストダウンを図ることができる。
【００８０】
請求項４に係る雨樋支持具によれば、樋支持具本体の上面又は下面に断面鋸刃状にした凹凸部を形成し、この凹凸部に係止する係止片部を適所に設けて、樋支持具本体のスライドを確実に規制できる。
【００８１】
請求項５に係る雨樋支持具によれば、樋支持具本体の長孔の側壁に凹凸部を形成し、この凹凸部に係止する係止片部を適所に設けて、樋支持具本体のスライドを確実に規制できる。
【図面の簡単な説明】
【図１】本発明に係る雨樋支持具を示す分解斜視図
【図２】本発明に係る雨樋支持具の他の実施例を示す分解斜視図
【図３】本発明に係る雨樋支持具の更に他の実施例を示す分解斜視図
【図４】本発明に係る回転ロックレバーの他の実施例を示す斜視図
【図５】従来の雨樋支持具を示す分解斜視図
【符号の説明】
Ａ      雨樋支持具
１      取付杆
２      樋支持具本体
２１ｂ  凹凸部
２４    長孔
２８ａ  係止片部
３      受座
４      貫通軸
５６    回転ロックレバー
５      回転上ロックレバー
６      回転下ロックレバー
【図１】
0004486738.tif 000002
【図２】
0004486738.tif 000003
【図３】
0004486738.tif 000004
【図４】
0004486738.tif 000005
【図５】
0004486738.tif 000006